(57)【特許請求の範囲】
【請求項１】
コネクタに設けられた位置決めリブと、コネクタが取り付けられるプリント基板に設けられた位置決めリブ孔とが嵌合されて両者の位置決めがなされた状態で、両者がネジ止めにより締結されるコネクタ搭載構造であって、
コネクタの位置決めリブの側面と両者を締結するためのネジの側面とが互いに接するように配置されたことを特徴とするコネクタ搭載構造。
【請求項２】
上記位置決めリブのコネクタからの突出量はプリント基板の厚さより小さく設定され、上記ネジは、プリント基板の裏側からプリント基板を通してコネクタに締め込まれたことを特徴とする請求項１記載のコネクタ搭載構造。
【発明の詳細な説明】
【０００１】
【発明の属する技術分野】
本発明は、例えば車両においてジャンクションブロックに取り付けられるコネクタ搭載構造に関するものである。
【０００２】
【従来の技術】
例えば車両においてジャンクションブロック（電気接続箱）と電子制御ユニットとの接続には、図１に示すように、ジャンクションブロック１のバスバー７において一列に並んで起立状態となっているタブ端子７ａを、電子制御ユニット３のプリント基板２に取り付けたコネクタ４の端子挿入孔４ｈに直接挿入して電気的接続を図る、いわゆるジャンクション直結タイプのコネクタ４（以下、単にコネクタ４と呼称する）が多く用いられている。
【０００３】
プリント基板２には、タブ端子７ａのすべてを貫通させるために、図７に示すように、長尺の貫通部であるスリット８が形成されるとともに、一対のネジ孔２ｂが設けられている。そして、このネジ孔２ｂとコネクタ４の前後に設けられた一対のネジ孔４ｂとを重ね合わせてネジ止めすることで、コネクタ４をプリント基板２上に装着することができるようになっている。
【０００４】
このコネクタ４をプリント基板２に装着するとき、コネクタ４のネジ孔４ｂの位置や孔径、プリント基板２のネジ孔２ｂの位置や孔径、さらに図略のネジの径など、それぞれの誤差が重なり合って、コネクタ４とスリット８との間に位置ずれが発生することがある。そのため、近年では、各タブ端子７ａをコネクタ４に正確に挿入することを目的として、図８に示すように、コネクタ４に一対の位置決めリブ４ａを設けるとともに、プリント基板２に対応する位置決めリブ孔２ａを設け、位置決めリブ４ａと位置決めリブ孔２ａとを嵌合させて、コネクタ４の位置決めを行なう技術が開発されている。
【０００５】
【発明が解決しようとする課題】
しかしながら、上記の従来技術では、プリント基板２に穿たれたネジ孔２ｂの周囲一定の範囲と、位置決めリブ孔２ａの周囲一定の範囲には、プリント基板２上に部品や配線パターンを設けることができないため、プリント基板２のスペース効率を低下させるという不具合があった。
【０００６】
本発明は上記不具合に鑑みてなされたものであり、プリント基板に対してコネクタを正確に位置決めすることができるだけでなく、プリント基板のスペース効率が良好なコネクタ搭載構造を提供することを課題としている。
【０００７】
【課題を解決するための手段】
上記課題を解決するために本発明は、コネクタに設けられた位置決めリブと、コネクタが取り付けられるプリント基板に設けられた位置決めリブ孔とが嵌合されて両者の位置決めがなされた状態で、両者がネジ止めにより締結されるコネクタ搭載構造であって、コネクタの位置決めリブの側面と両者を締結するためのネジの側面とが互いに接するように配置されたことを特徴とするコネクタ搭載構造である。
【０００８】
この発明によれば、コネクタの位置決めリブの側面と両者を締結するためのネジの側面とが互いに接するように配置されているので、ネジ孔および位置決めリブ孔の周囲の部品や配線パターンを設けることができない面積をプリント基板上において最少限にすることができる結果、スペース効率の良いコネクタ搭載構造を実現することができる。
【０００９】
また、本発明の好ましい態様は、上記位置決めリブのコネクタからの突出量はプリント基板の厚さより小さく設定され、上記ネジは、プリント基板の裏側からプリント基板を通してコネクタに締め込まれたことを特徴とする請求項１記載のコネクタ搭載構造である。
【００１０】
この好ましい態様によれば、位置決めリブのコネクタからの突出量が、プリント基板の厚さより小さく設定されているので、位置決めリブとネジとが、干渉することがない。また、ネジは、プリント基板の裏側からプリント基板を通してコネクタに締め込まれているので、ネジがコネクタ側からコネクタを通してプリント基板に締め込まれ、ネジが締め込まれる螺合部分にプリント基板の部材と位置決めリブの部材が存在する場合と比較して、ネジが締め込まれる螺合部分に部材の不連続がない結果、より強固に両者を締結することができる。
【００１１】
【発明の実施の形態】
以下、添付図面を参照しながら本発明の実施形態について詳述する。
【００１２】
図１は本発明の実施形態に係るコネクタ搭載構造１０の適用の一例としてジャンクションブロック１に組み込まれる電子制御ユニット３のプリント基板２にコネクタ４を搭載した構成を示す分解斜視図であり、図２は本発明の実施形態に係るコネクタ搭載構造１０の構成を示す分解斜視図である。また、図３は本発明の実施形態に係るコネクタ搭載構造１０の断面図であり、図４は本発明の実施形態に係るコネクタ搭載構造１０のプリント基板２に穿たれた位置決めリブ孔２ａとネジ孔２ｂとをプリント基板２の裏面から見た図である。また、図５は本発明の実施形態に係るコネクタ搭載構造１０に適用されるコネクタ４の分解斜視図であり、図６は本発明の実施形態に係るコネクタ搭載構造１０に適用されるコネクタ４の断面図である。
【００１３】
まず、図１を参照して、図示の実施形態に係るコネクタ搭載構造１０は、車両用のジャンクションブロック１に組み込まれる電子制御ユニット３のプリント基板２に、いわゆるジャンクション直結タイプのコネクタ４を搭載するために設けられたものである。
【００１４】
上記ジャンクションブロック１は、蓋部６と組み合わせることにより、内部の電子部品を収納するボックス状の構造物であり、ケース１ａと仕切板１ｂとの間に配線材であるバスバー７がその間に絶縁層を介装して収納されている。このバスバー７にはその上面に、一定の範囲にまとまって一列に並ぶタブ端子７ａが仕切板１ｂを貫通するように起立状態となっている。
【００１５】
上記電子制御ユニット３は、プリント基板２に電子部品や回路が設けられたものであり、ジャンクションブロック１に組み込まれる際には、上記所定のバスバー７に設けられ一列に並んで起立状態となっているタブ端子７ａとプリント基板２に設けられたコネクタ４とが連結されて、電気的接続がなされるように構成されている。
【００１６】
上記コネクタ４は、プリント基板２の上面側に設けられ、バスバー７と電子制御ユニット３との電気的接続を行うために、一列に並んで起立状態となっているタブ端子７ａに連結されるものであり、本実施形態では、プリント基板２の左右両端側に長尺形状をなす同一構造のものが２つ搭載されている。
【００１７】
図２を参照して、上記プリント基板２には、上記まとまって一列に並んで起立状態となっているタブ端子７ａのすべてを貫通させるために、長尺の貫通部であるスリット８が形成されており、このスリット８とコネクタ４とは各タブ端子７ａの貫通を阻害しないように互いに平行となるように設定されている。
【００１８】
そして、本実施形態に係るコネクタ搭載構造１０は、コネクタ４に設けられた位置決めリブ４ａと、コネクタ４が取り付けられるプリント基板２に設けられた位置決めリブ孔２ａとを備え、この位置決めリブ４ａと位置決めリブ孔２ａとが嵌合されてプリント基板２に対するコネクタ４の位置決めがなされた状態で、プリント基板２とコネクタ４とが、ネジ５によりネジ止めにより締結されるコネクタ搭載構造１０であって、図３にも示すようにコネクタ４の位置決めリブ４ａの側面と両者を締結するためのネジ５の側面とが互いに接するように配置された構成となっている。
【００１９】
すなわち、コネクタ４の長手方向両端には、コネクタ４をプリント基板２に取り付けるための一対のフランジ部４ｍが、コネクタ４の前後両端に突出するように設けられている。このフランジ部４ｍには、プリント基板２にネジ止めするための一対のネジ穴４ｂが設けられるとともに、フランジ部４ｍの底面に、コネクタ４をプリント基板２に位置決めするための円柱状の位置決めリブ４ａがネジ穴４ｂに隣接する位置に下方に突出するように設けられている。
【００２０】
一方、プリント基板２には、取り付けられるコネクタ４の長手方向両端に対応する位置にそれぞれ、プリント基板２にコネクタ４をネジ止めするためのネジ孔２ｂと、後述する位置決めリブ４ａと嵌合される位置決めリブ孔２ａとが互いに連なるように設けられている。そして、コネクタ４が、プリント基板２のスリット８を跨ぐようにプリント基板２上に配置されるとともに、位置決めリブ４ａとプリント基板２に設けられた位置決めリブ孔２ａとが嵌合されてプリント基板２に対するコネクタ４の位置決めがなされた状態で、ネジ孔４ｂと、プリント基板２に設けられたネジ孔２ｂとが重ね合わされ、プリント基板２とコネクタ４とがネジ止めにより締結されている。
【００２１】
上記位置決めリブ４ａのコネクタ４からの突出量は、本発明に係る実施形態では、プリント基板２の厚さより小さく設定されている。また、上記ネジ５は、プリント基板２の裏側からプリント基板２を通してコネクタ４に締め込まれている。
【００２２】
なお、本発明は、コネクタ４の内部構造等を限定するものではないが、例えば図５、図６に示すように、樹脂製のベース部材４ｃと、樹脂製のカバー部材４ｄと、金属製の雌型金具４ｅとを備え、ベース部材４ｃに形成された突起部４ｆと、カバー部材４ｄの対応する位置に形成された爪４ｇとが係合することで、カバー部材４ｄとベース部材４ｃとが一体化されているものであってもよい。
【００２３】
この例では、コネクタ４の雌型金具４ｅは、導電性金属の薄板を角筒状に折り曲げて形成された部品であり、カバー部材４ｄに形成された端子挿通孔４ｈ、ベース部材４ｃに形成された貫通孔４ｉ及びプリント基板２に形成されたスリット８を介してタブ端子７ａ等が挿入可能となっている。
【００２４】
また、この雌型金具４ｅは、その頂部を一部内側に折り返してタブ端子７ａが挿入可能なバネ舌片４ｊが形成されるとともに、雌型金具４ｅの外側には、バネ舌片４ｊと反対側に接続片４ｋが延設され、この接続片４ｋがプリント基板２上に形成されたプリント配線２ｃ（図６）と半田２ｄにより接続されるように構成されている。
【００２５】
次に、図２、図３、図４を参照して本実施形態の作用について説明する。
【００２６】
まず、図示の実施形態に係るコネクタ搭載構造１０において、電子制御ユニット３のプリント基板２に、コネクタ４を搭載する要領は以下の通りである。
【００２７】
すなわち、図２、図３を参照して、コネクタ４に設けられた位置決めリブ４ａと、コネクタ４が取り付けられるプリント基板２に設けられた位置決めリブ孔２ａとが対向するように、プリント基板２の上方でコネクタ４の位置決めを行い、そのままプリント基板２とコネクタ４とを重ねて、位置決めリブ４ａを位置決めリブ孔２ａに嵌合させる。
【００２８】
この状態では、一列に並んで起立状態となっているタブ端子７ａ（図１）のすべてを貫通させるために、プリント基板２に形成された長尺の貫通部であるスリット８とコネクタ４とが、各タブ端子７ａの貫通を阻害しないように互いに平行となるようになっている。
【００２９】
また、この状態では、この位置決めリブ４ａとプリント基板２に設けられた位置決めリブ孔２ａとが嵌合されてプリント基板２に対するコネクタ４の位置決めがなされた状態で、プリント基板２のネジ孔２ｂとコネクタ４のネジ孔４ｂとが重ね合わされ、プリント基板２とコネクタ４とがネジ止め可能な状態になっている。
【００３０】
そして、プリント基板２に対するコネクタ４の位置決めと両ネジ孔２ｂの位置決めとがなされた状態で、コネクタ４の位置決めリブ４ａの側面とネジ５の側面とが互いに接するようにプリント基板２の裏側からプリント基板２を通してネジ５をコネクタ４のネジ孔に締め込んで、プリント基板２とコネクタ４とが締結される。
【００３１】
この状態では、図４にも示すように、コネクタ４の位置決めリブ４ａの側面とネジ５の側面とが互いに接するようになっているので、位置決めリブ４ａの外縁は、ネジ頭５ａの境界線５ｂの内側に入っており、部品や配線パターンを設けることができない範囲２ｅが、プリント基板２上において最少限になっている。
【００３２】
また、図６にも示すように、コネクタ４の雌型金具４ｅの外側に延設される接続片４ｋが、スリット８を通してプリント基板２上の裏面に突出しており、この接続片４ｋがプリント基板２の裏面に形成されたプリント配線２ｃと半田２ｄにより接続されてコネクタ４と、電子制御ユニット３のプリント基板上に設けられた電子部品や回路との電気的接続がなされている。
【００３３】
そして、この電子制御ユニット３が、ジャンクションブロック１に組み込まれる際には、所定のバスバー７に設けられ一列に並んで起立状態となっているタブ端子７ａを、電子制御ユニット３のプリント基板２に設けられたコネクタ４の下方から挿入して連結することにより、タブ端子７ａが、コネクタ４内部に設けられた雌型金具４ｅに嵌合される。そして、タブ端子７ａが、雌型金具４ｅのバネ舌片４ｊと接続片４ｋとを介してプリント基板２のプリント配線２ｃと導通されるので、電子制御ユニット３とジャンクションブロック１との電気的接続が完了する。
【００３４】
以上説明したように、本実施形態によれば、コネクタ４をプリント基板２に装着する際、位置決めリブ４ａが、プリント基板２上の２箇所の位置決めリブ孔２ａと嵌合することにより、プリント基板２上でのコネクタ４の位置決めを簡単に行うことができるだけでなく、充分な精度でコネクタ４とスリット８との間の平行性を実現することができるなど、プリント基板２に対するコネクタ４の位置ずれを許容値以下に抑えることができる。また、位置決め後のコネクタ４について安定した姿勢を得ることができる。そのため、各タブ端子７ａのコネクタ４への挿入が阻害されず、電子制御ユニット３のジャンクションブロック１への組み付けが容易化して、その作業効率を向上させることができる。
【００３５】
次に、コネクタ４の位置決めリブ４ａの側面と両者を締結するためのネジ５の側面とが互いに接するように配置されているので、部品や配線パターンを設けることができない範囲をプリント基板２上において最少限にすることができる結果、スペース効率の良いコネクタ搭載構造を実現することができる。
【００３６】
また、本実施形態では、位置決めリブ４ａのコネクタ４からの突出量が、プリント基板２の厚さより小さく設定されているので、位置決めリブ４ａとネジ５とが、干渉することがない。また、ネジ５がプリント基板２の裏側からプリント基板２を通してコネクタ４に締め込まれているので、ネジ５がコネクタ４側からコネクタ４を通してプリント基板２に締め込まれる場合と比較して、ネジ５が締め込まれる螺合部分に部材の不連続がない結果、より強固に両者を締結することができる。
【００３７】
上述した実施の形態は本発明の好ましい具体例を例示したものに過ぎず、本発明は上述した実施の形態に限定されない。
【００３８】
例えば、必ずしもネジ５がプリント基板２の裏側からプリント基板２を通してコネクタ４に締め込まれている必要はなく、ネジ５がコネクタ４側からコネクタ４を通してプリント基板２に締め込まれていてもよい。この場合においても、十分な強度と精度で両者を締結することが可能である。
【００３９】
次に、本実施形態では、図２に示すように、位置決めリブ４ａをネジ５に対してコネクタ４内側に偏心させて配置しているが、位置決めリブ４ａがネジ５の側面に接するように配置されていれば、位置決めリブ４ａの位置は任意に設けることができる。
【００４０】
また、コネクタ４の内部構造は必ずしも図示の形態に限定されないだけでなく、プリント基板２のスリット８も必須ではない。スリット８を介さずにプリント基板２の上方からコネクタ４に各タブ端子７ａが挿入されるような構造であってもよい。
【００４１】
さらに、位置決めリブ４ａは、図示のように円柱形状である必要はなく、例えばネジ５に接するように配置される角柱形状など任意の形状が採用可能である。
【００４２】
いずれの場合でも、コネクタ４をプリント基板２に装着する際、位置決めリブ４ａが、プリント基板２上の２箇所の位置決めリブ孔２ａと嵌合することにより、プリント基板２上でのコネクタ４の位置決めを簡単に行うことができる。
【００４３】
また、本実施形態では、コネクタ４をジャンクション直結タイプのコネクタ４として説明したが、コネクタ４に設けられた位置決めリブ４ａと、プリント基板２に設けられた位置決めリブ孔２ａとが嵌合されて両者の位置決めがなされた状態で、両者がネジ止めにより締結されるコネクタ４であれば、他の種類のコネクタ４であってもよい。
【００４４】
また、本実施形態では、車両用において使用される電子制御ユニット３の搭載構造に適用した場合を説明したが、他の分野、例えば家電製品の電子制御ユニットの搭載構造に適用することも許容されるなど、種々の設計変更が可能である。
【００４５】
【発明の効果】
以上説明したように、本発明によれば、部品や配線パターンを設けることができない範囲をプリント基板上において最少限にすることができる結果、スペース効率の良いコネクタ搭載構造を実現することができる。
【図面の簡単な説明】
【図１】  本発明の実施形態に係るコネクタ搭載構造の適用の一例としてジャンクションブロックに組み込まれる電子制御ユニットのプリント基板にコネクタを搭載した構成を示す分解斜視図である。
【図２】  本発明の実施形態に係るコネクタ搭載構造の構成を示す分解斜視図である。
【図３】  本発明の実施形態に係るコネクタ搭載構造の断面図である。
【図４】  本発明の実施形態に係るコネクタ搭載構造のプリント基板に穿たれた位置決めリブ孔とネジ孔とをプリント基板の裏面から見た図である。
【図５】  本発明の実施形態に係るコネクタ搭載構造に適用されるコネクタの分解斜視図である。
【図６】  本発明の実施形態に係るコネクタ搭載構造に適用されるコネクタの断面図である。
【図７】  コネクタ搭載構造の従来技術の一例を示す斜視図である。
【図８】  コネクタ搭載構造の従来技術の別の一例を示す斜視図である。
【符号の説明】
２     プリント基板
２ａ   位置決めリブ孔
４     コネクタ
４ａ   位置決めリブ
５     ネジ
１０   コネクタ搭載構造
【図１】
0003870769.tif 000002
【図２】
0003870769.tif 000003
【図３】
0003870769.tif 000004
【図４】
0003870769.tif 000005
【図５】
0003870769.tif 000006
【図６】
0003870769.tif 000007
【図７】
0003870769.tif 000008
【図８】
0003870769.tif 000009